(57)【要約】【課題】簡単に製作できて、施工性もよく、間隙の大きな変動にもカバー材の少ない動きで確実に対処できるエキスパンションジョイントを提供すること。【解決手段】間隔をおいて相対する躯体２、３の間隙Ｓを覆うカバー材４を、一方の躯体２に設けた枢着部材５へホルダ６を介して傾動可能に取り付けたエキスパンションジョイント１において、上記ホルダ６の間隙に対応する裏側を、他方の躯体３に設けた外転びの斜面７へ乗り上げ易い橇状部８とし、一方の躯体２に設けた枢着部材５には、カバー材４を間隙Ｓが閉塞される方向へ付勢するバネ部材９の一部を支持させてあること。【選択図】図１
2005068850.tif 000002
【特許請求の範囲】
【請求項１】
間隔をおいて相対する躯体の間隙を覆うカバー材を、一方の躯体に設けた枢着部材へホルダを介して傾動可能に取り付けたエキスパンションジョイントにおいて、
上記ホルダの間隙に対応する裏側を、他方の躯体に設けた外転びの斜面へ乗り上げ易い平坦な橇状部とし、
一方の躯体に設けた枢着部材には、カバー材を隙間が閉塞される方向へ付勢するバネ部材の一部を支持させてある
ことを特徴とするエキスパンションジョイント。
【請求項２】
ホルダの裏面に形成した平坦な橇状部は、躯体に設けた斜面が接動する部分に滑り層を形成されている
ことを特徴とする請求項１に記載のエキスパンションジョイント。
【請求項３】
カバー材を閉塞する方向に付勢するバネ部材は、１対が連動してホルダへ作用するダブルバネである
ことを特徴とする請求項１及び請求項２に記載のエキスパンションジョイント。
【発明の詳細な説明】
【技術分野】
【０００１】
本発明は、間隔をおいて相対する躯体へ簡便に装着して間隙の閉塞を行なわせるエキスパンションジョイントに関する。
【背景技術】
【０００２】
従来、隣り合う躯体の間隙が変動するとき、間隙のカバー材を傾動させて変動を吸収するエキスパンションジョイントにおいては、躯体の一方に傾斜面を有する第１カバープレートを固定し、他方の躯体に傾斜面を有する第２カバープレートをヒンジにより取り付けて、この第２カバープレートの裏側に三角突部を設け、間隙が狭まる躯体の変動が起こるとき、第２カバープレートを第1カバープレートへ乗り上げさせて変動を吸収するようにしている（例えば、特許文献１）。
【０００３】
しかしながら、第１カバープレートと第２カバープレートに対照的に傾斜面を設ける場合は、これら傾斜面を乗り上げを起こし易い角度に合わせなければならないため、カバープレートの加工が困難である。
対照的に傾斜面を設けると、これらが面接触するため、変動時の抵抗が大きくてカバープレートの損傷を生じ易い。
狭い間隙内へ各部材を取り付ける構造であるため施工性が悪い。
裏側を２段斜面とした第２カバープレートは、少しの間隙変動に対しても大きく展開しないと対応躯体から逃げられない、という問題点がある。
【特許文献１】実公平７−４３２９０号公報（第２頁、第１図）
【発明の開示】
【発明が解決しようとする課題】
【０００４】
本発明は前記問題点を解消し、簡単に製作できて、施工性もよく、間隙の大きな変動にもカバー材の少ない動きで確実に対処できるエキスパンションジョイントを提供することをその課題とする。
【課題を解決するための手段】
【０００５】
前記課題を解決するため、本発明に係るエキスパンションジョイントは、下記の構成を採用することを特徴とする。
間隔をおいて相対する躯体の間隙を覆うカバー材を、一方の躯体に設けた枢着部材へホルダを介して傾動可能に取り付けたエキスパンションジョイントにおいて、  上記ホルダの間隙に対応する裏側を、他方の躯体に設けた外転びの斜面へ乗り上げ易い平坦な橇状部とし、
一方の躯体に設けた枢着部材には、カバー材を隙間が閉塞される方向へ付勢するバネ部材の一部を支持させてあること。
【０００６】
ホルダの裏面に形成した平坦な橇状部は、躯体に設けた斜面が接動する部分に滑り層を形成されていること。
【０００７】
カバー材を閉塞する方向に付勢するバネ部材は、１対が連動してホルダへ作用するダブルバネであること。
【発明の効果】
【０００８】
請求項１の効果  カバー材のホルダが裏側へ平坦な橇状部を設けた簡単な構造であるため、加工し易くて安価に製作できる。
平坦な橇状部の角部へ斜面を線接触させるから、間隙が変動する際の作動抵抗が小さくて部材の損傷を生ずることがない。
ホルダの平坦な橇状部の後側へ斜面を侵入させるため、大きな間隙の変動に対してもカバー材の開きが小さいから、壁材とカバー材を面一に設ける場合、カバー材のせり出しが少なくて体裁がよい。
各部材の取付は、躯体の表面側へ行えばよいので、施工性がよい。
【０００９】
請求項２の効果  平坦な橇状部に設けた滑り層は、その後面へ斜面をスムーズに侵入させるに作用して、間隙の変動に即応したホルダの傾動を故障なく行わせることができる。
【００１０】
請求項３の効果  ダブルバネがホルダへ両側から均等な力を加えるため、ホルダはこの力をカバー材に作用させて閉塞方向への付勢を確実に行う。
【発明を実施するための最良の形態】
【００１１】
以下に本発明に係るエキスパンションジョイントを図面に付いて説明する。
【実施例１】
【００１２】
図１において符号１はエキスパンションジョインを示す。このエキスパンションジョイント１は、間隔をおいて相対する躯体２と躯体３の隙間Ｓを覆うカバー材４を、一方の躯体２に設けた枢着部材５へホルダ６を介して傾動可能に取り付けた構成のものであり、上記ホルダ６の間隙Ｓに対応する裏側に、他方の躯体３に設けた外転びの斜面７へ乗り上げ易い平坦な橇状部８とし、一方の躯体２に設けた枢着部材５には、カバー材４を隙間Ｓが閉塞される方向へ付勢するバネ部材９の一部を支持させてある。
【００１３】
上記一方の躯体２と他方の躯体３とは、表面に壁材１０を取り付ける。この壁材１０は、所要幅で長尺に形成した公知のものであって、躯体２側の壁材１０は、側縁に額縁材１１を取り付け、躯体３側の壁材１０は側縁に額縁材１２を取り付ける。
【００１４】
一方の額縁材１１は、図２（ａ）に示す通り、壁材１０の側縁と平行する側片１１ａの前側に短い前片１１ｂを、後側に長い後片１１ｃをそれぞれ外側へ直角に曲成した長尺のものであって、長い後片１１ｃの中間部の後側には、枢着部材５に設けた後記突条を係合させる凹部１３を形成し、側片１１ａの内側には、側片１１ａの前端から間隙Ｓ側へ斜めに張り出させて先端を壁面１０と平行するように曲げた間隙Ｓの目隠片１１ｄを付設されている。
【００１５】
他方の額縁材１２は、図２（ｂ）に示す通り、外転び（外側へ傾く）の斜面７となる側片１２ａの前側に短い前片１２ｂを外側へ曲成し、後側には段付きの長い後片１２ｃをその一部分が側片１２ａよりも内側へ張り出して、ホルダ６の橇状部８の受面１２ｄとなるように形成した長尺のものである。
【００１６】
カバー材４は、壁材１０と同じ材料で躯体２と躯体３との間隙Ｓを覆う幅の長尺物に形成して、両側に図３に示す通り額縁材１４、１４を嵌め付ける。これら額縁材１４、１４は、カバー材４の側縁と平行する側片１４ａの前側に短い前片１４ｂを、後側に長い後片１４ｃをそれぞれ内側へ直角に曲成して、後片１４ｃの内端には前方へ向く係止鉤１５、１５を設け、外端に内方へ向う係止縁１６、１６を設けてある。
【００１７】
ホルダ６の枢着部材５は、図４（ａ）に示す通り短寸に形成して、外側に取付孔１７をあけ、この取付孔１７に木ネジ１８を通して図１に示す通り、枢着部材５を額縁材１１とともに躯体２へ締め付け固定する。そして、内側の端部には、ホルダ６に設けた後記円軸を嵌合する欠円溝１９を設け、前面の中間部に額縁材１１に設けた凹部１３へ係合する位置決め凸条２０を設けてある。
【００１８】
ホルダ６は、枢着部材５と同様、短寸に形成して、両側縁に図４（ｂ）に示す通り、額縁材１４、１４に設けた係止縁１６、１６を係合させる凹部２１、２１を設け、一方（躯体２側）の凹部２１の後側には枢着部材５の欠円溝１９へ係合させる円軸２２を突設し、この円軸２２より内側の後側には、バネ部材９の後記コイル部を収める浅溝２３を設ける。
裏側の平坦な橇状部８は中央部に凹部２４を設け、凹部２４より右側（躯体３側）の斜面７が接動する部分には、例えば、四フッ化エチレン樹脂を主成分としたシートを貼り付ける等の手段によって滑り層２５を形成することが好ましい。
【００１９】
なお、ホルダ６に設けた凹部２４は、反対側（前側）に後記取付部材の山形隆起を係合させる谷部２６を設け、この谷部２６を挟んでホルダ６には額縁材１４、１４に設けた係止鉤１５、１５へ当接する凸縁２７、２７を設けてある。
【００２０】
ホルダ６を額縁材１４、１４へ取り付けるには、図４（ｃ）に示す取付部材２８を用いる。この取付部材２８は両側に額縁材１４、１４に設けた係止鉤１５、１５へ係合する立上片２９、２９を設け、中央部にホルダ６に設けた谷部２６へ係合する山形隆起３０を設けてあるので、ホルダ６を両側の凹部２１、２１を係止縁１６、１６に係合させて額縁材１４、１４に支持させ、額縁材１４、１４の後片１４ｃ、１４ｃの間に立上片２９、２９を係止鉤１５、１５に係合させて取付部材２８を挿しいれる。すると、中央部の山形隆起３０がホルダ６の谷部２６に係合するから、この状態において、山形隆起３０にあけた孔３１に図４（ｃ）に示すタッピングドリリングネジ３２で、ホルダ６の谷部２６に穴をあけながら、ネジを切り、締め込めば、ホルダ６の凸縁２７、２７が額縁材１４、１４の後片１４ｃ、１４ｃに設けた係止鉤１５、１５へ圧接されてホルダ６の強固な取り付けが行われる。
【００２１】
バネ部材９は、図４（ｄ）に示す通りバネ鋼を複数回丸めて中央のコイル部９ａ、９ａを形成し、このコイル部９ａ、９ａの一方には外側より固定部９ｂ、９ｂを伸び出させ、コイル部９ａ、９ａの他方に内側より弾発部９ｃ、９ｃを伸び出させた構成として、上記固定部９ｂ、９ｂを連結片９ｄで連結し、１対のバネ部材９が連動して動作するダブルバネ構造としてある。
【００２２】
上記バネ部材９は、図１に示す通り中間のコイル部９ａ、９ａをホルダ６の欠円溝１９に支持させ、固定部９ｂ、９ｂを連結する連結部９ｄを枢着部材５に係止させ、弾発部９ｃ、９ｃをホルダ６の前面へ係合させると、その弾力でホルダ６が円軸２２を中心に回動するため、カバー材4を躯体２と躯体３との間隙Ｓを閉塞するように付勢することができる。
【００２３】
上記実施形態に示すエキスパンションジョイント１は、一方の躯体２へ壁材１０の額縁材１１と共に、ホルダ６によりカバー材４を取り付けられた枢着部材５を取り付け、他方の躯体３へ壁材１０の額縁材１２を取り付ければ、カバー材４で躯体２、３の間隙Ｓが閉塞されるエキスパンションジョイント１が簡単迅速にセットされる。
【００２４】
セットされたエキスパンションジョイント１は、躯体２と躯体３が図１に示すように常態を保っていれば、バネ部材９の付勢によりホルダ６が平坦な橇状部８の先端を額縁材１２の受面１２ｄに係合させている。このため、カバー材４は両側の壁材１０の間へ両壁材１０、１０と面一をなすように収まって間隙Ｓを閉塞している。しかながら、地震や地盤沈下等が起って、躯体２と躯体３に間隙Ｓが狭まる変動を生じさせるときは、額縁材１２に設けた斜面７が平坦な橇状部８の後側へ侵入してホルダ６の自由端に前方への押出力を加える。このため、ホルダ６はバネ部材９の力に抗して円軸２２を中心に回動し、カバー材４の自由端を図５（ａ）（ｂ）（ｃ）（ｄ）に示す通り壁材１０、１０の面より前方へせり出させて、間隙Ｓの変動時にもカバー材４によって間隙Ｓを閉塞する動作を確実に行うものである。
【００２５】
なお、エキスパンションジョイント１の前記作動において、ホルダ６の平坦な橇状部８の要所、即ち、躯体３側に設けた斜面７が接動する部分に四フッ化エチレン等の滑り層２５を設けておけば、橇状部８へ斜面７が当るとき、滑り層２５で斜面７を橇状部８の後側へスムーズに滑り込ませて、ホルダ６の回動動作を円滑、確実に行わせることができ、また、ホルダ６を弾圧してカバー材４を閉塞方向に付勢するバネ部材９を、１対が連動動作するダブルバネとすれば、ホルダ６へ両側から均等にバネ力を作用させてホルダ６の確実で安定した回動作動を行わせることができる。
【産業上の利用可能性】
【００２６】
間隔をおいて相対する躯体の間隙をその変動には関係なく確実に閉塞させるのに適用できる。
【図面の簡単な説明】
【００２７】
【図１】エキスパンションジョイントの常態を示す断面図
【図２】（ａ）（ｂ）は壁材へ取り付ける額縁材の一部分を示す斜視図
【図３】カバー材の一部分を示す斜視図
【図４】（ａ）（ｂ）（ｃ）（ｄ）は枢着部材、ホルダ、取付部材、バネ部材を示す斜視図
【図５】（ａ）（ｂ）（ｃ）（ｄ）は間隙の変動に伴うカバー材のせり出しを示す説明図
【符号の説明】
【００２８】
１  エキスパンションジョイント
２と３  躯体
Ｓ  間隙
４  カバー材
５  枢着部材
６  ホルダ
７  斜面
８  橇状部
９  バネ部材
【図１】
2005068850.tif 000003
【図２】
2005068850.tif 000004
【図３】
2005068850.tif 000005
【図４】
2005068850.tif 000006
【図５】
2005068850.tif 000007